(57)【特許請求の範囲】
【請求項１】
縦方向と、前記縦方向と交差する横方向と、を有し、
排泄物を吸収する吸収性本体と、
前記吸収性本体の前記縦方向における一端部に固定された背側帯部材と、
前記吸収性本体の前記縦方向における他端部に固定された腹側帯部材と、を備え、
前記背側帯部材の前記横方向における両縁部と前記腹側帯部材の前記横方向における両縁部が接合されて形成された吸収性物品であって、
弾性部材を備え、前記吸収性本体、前記背側帯部材、及び前記腹側帯部材とは別の別体背側帯部材及び別体腹側帯部材を有し、
前記背側帯部材が前記吸収性本体の内側に、前記別体背側帯部材が前記吸収性本体の外側に、それぞれ位置した状態で、前記背側帯部材と前記別体背側帯部材とが前記吸収性本体を挟んでおり、かつ、前記背側帯部材と前記吸収性本体の隙間には、パッドの一端部を挿入する一端挿入部が形成され、
前記腹側帯部材が前記吸収性本体の内側に、前記別体腹側帯部材が前記吸収性本体の外側に、それぞれ位置した状態で、前記腹側帯部材と前記別体腹側帯部材とが前記吸収性本体を挟んでおり、かつ、前記腹側帯部材と前記吸収性本体の隙間には、パッドの他端部を挿入する他端挿入部が形成されていることを特徴とする吸収性物品。
【請求項２】
請求項１に記載の吸収性物品であって、
前記別体背側帯部材と前記吸収性本体とが接合され、かつ、前記別体腹側帯部材と前記吸収性本体とが接合されていることを特徴とする吸収性物品。
【請求項３】
請求項１又は請求項２に記載の吸収性物品であって、
前記別体背側帯部材と前記別体腹側帯部材とが接合されていることを特徴とする吸収性物品。
【請求項４】
請求項１乃至請求項３のいずれかに記載の吸収性物品であって、
前記別体背側帯部材は、前記背側帯部材と重なった状態で、前記縦方向において該背側帯部材よりも前記吸収性本体の中央側に位置し、
前記別体腹側帯部材は、前記腹側帯部材と重なった状態で、前記縦方向において該腹側帯部材よりも前記吸収性本体の中央側に位置することを特徴とする吸収性物品。
【請求項５】
請求項１乃至請求項４のいずれかに記載の吸収性物品であって、
前記別体背側帯部材は、前記背側帯部材と重なった状態で、前記縦方向において該背側帯部材よりも前記吸収性本体の中央側に位置し、
前記別体腹側帯部材は、前記腹側帯部材と重なった状態で、前記縦方向において該腹側帯部材よりも前記吸収性本体の中央側に位置し、
前記別体背側帯部材と前記別体腹側帯部材のうちの少なくとも一方の部材の、重なり部分に対応する位置には、前記弾性部材が設けられていることを特徴とする吸収性物品。
【請求項６】
請求項５に記載の吸収性物品であって、
前記別体背側帯部材と前記別体腹側帯部材のうちの少なくとも一方の部材の、非重なり部分に対応する位置には、前記弾性部材が設けられていることを特徴とする吸収性物品。
【請求項７】
請求項１乃至請求項６のいずれかに記載の吸収性物品であって、
前記別体腹側帯部材の前記縦方向における長さは、前記別体背側帯部材の前記縦方向における長さよりも小さいことを特徴とする吸収性物品。
【請求項８】
請求項１乃至請求項７のいずれかに記載の吸収性物品であって、
前記別体背側帯部材と前記別体腹側帯部材のうちの少なくとも一方の部材の前記横方向における端部よりも中央部において、前記弾性部材の応力が小さいことを特徴とする吸収性物品。
【請求項９】
請求項１乃至請求項８のいずれかに記載の吸収性物品であって、
前記吸収性本体はサイドフラップを有し、
前記サイドフラップに設けられた弾性部材と、前記別体背側帯部材と前記別体腹側帯部材のうちの少なくとも一方の部材に設けられた弾性部材と、が交差しており、
双方の前記弾性部材の交差点は、前記吸収性本体と前記一方の部材との重なり部分において双方の部材を接合するための接合部上に位置することを特徴とする吸収性物品。
【請求項１０】
請求項１乃至請求項９のいずれかに記載の吸収性物品であって、
前記別体背側帯部材と前記別体腹側帯部材のうちの少なくとも一方の部材に設けられた弾性部材は、前記吸収性本体と交差していることを特徴とする吸収性物品。
【発明の詳細な説明】
【技術分野】
【０００１】
本発明は、吸収性物品に関する。
【背景技術】
【０００２】
従来、３ピースタイプの使い捨ておむつ等の吸収性物品が広く用いられている。この吸収性物品は、排泄物を吸収する吸収性本体と、吸収性本体の縦方向における一端部に固定された背側帯部材と、吸収性本体の縦方向における他端部に固定された腹側帯部材と、を備えており、背側帯部材の横方向における両縁部と腹側帯部材の横方向における両縁部が接合されて形成されている。
【先行技術文献】
【特許文献】
【０００３】
【特許文献１】特開２０１３−９４４２２号
【発明の概要】
【発明が解決しようとする課題】
【０００４】
かかる吸収性物品を使用する際には、当該吸収性物品にパッドを挿入して用いる場合がある。背側帯部材と吸収性本体との隙間には、パッドの一端部を挿入するための一端挿入部が形成され、腹側帯部材と吸収性本体との隙間には、パッドの他端部を挿入するための他端挿入部が形成されており、吸収性物品にパッドを挿入する際には、パッドの一端部を一端挿入部に他端部を他端挿入部にそれぞれ挿入することとなる。
【０００５】
しかしながら、従来は、一端挿入部及び他端挿入部において当該パッドが適切に押さえられず、パッドを適切な位置に維持させることができない（パッドが動きやすくなる）課題があった。このことにより、パッドがずれて、排泄物の漏れが生ずる問題があった。
【０００６】
本発明は、上記のような問題に鑑みてなされたものであって、その目的とするところは、吸収性物品に挿入されたパッドを適切な位置に維持させることにある。
【課題を解決するための手段】
【０００７】
上記目的を達成するための主たる発明は、
縦方向と、前記縦方向と交差する横方向と、を有し、
排泄物を吸収する吸収性本体と、
前記吸収性本体の前記縦方向における一端部に固定された背側帯部材と、
前記吸収性本体の前記縦方向における他端部に固定された腹側帯部材と、を備え、
前記背側帯部材の前記横方向における両縁部と前記腹側帯部材の前記横方向における両縁部が接合されて形成された吸収性物品であって、
弾性部材を備え、前記吸収性本体、前記背側帯部材、及び前記腹側帯部材とは別の別体背側帯部材及び別体腹側帯部材を有し、
前記背側帯部材が前記吸収性本体の内側に、前記別体背側帯部材が前記吸収性本体の外側に、それぞれ位置した状態で、前記背側帯部材と前記別体背側帯部材とが前記吸収性本体を挟んでおり、かつ、前記背側帯部材と前記吸収性本体の隙間には、パッドの一端部を挿入する一端挿入部が形成され、
前記腹側帯部材が前記吸収性本体の内側に、前記別体腹側帯部材が前記吸収性本体の外側に、それぞれ位置した状態で、前記腹側帯部材と前記別体腹側帯部材とが前記吸収性本体を挟んでおり、かつ、前記腹側帯部材と前記吸収性本体の隙間には、パッドの他端部を挿入する他端挿入部が形成されていることを特徴とする吸収性物品である。
【０００８】
本発明の他の特徴については、本明細書及び添付図面の記載により明らかにする。
【発明の効果】
【０００９】
本発明によれば、吸収性物品に挿入されたパッドを適切な位置に維持させることが可能となる。
【図面の簡単な説明】
【００１０】
【図１】パッドＰが挿入されたおむつ１の斜視イメージ図である。
【図２】パッドＰが挿入されたおむつ１の断面概念図である。
【図３】パッドＰの平面概念図である。
【図４】展開状態のおむつ１の概略平面図である。
【図５】展開状態のおむつ１の概略横断面図である。
【図６】展開状態のおむつ１の概略縦断面図である。
【図７】おむつ１に設けられた別体背側帯部材４０の概略平面図である。
【図８】おむつ１に設けられた別体腹側帯部材４５の概略平面図である。
【図９】パッドＰが挿入されたおむつ１の第二実施形態に係る断面概念図である。
【図１０】パッドＰが挿入されたおむつ１の第三実施形態に係る断面概念図である。
【図１１】パッドＰが挿入されたおむつ１の第四実施形態に係る断面概念図である。
【発明を実施するための形態】
【００１１】
本明細書及び添付図面の記載により、少なくとも以下の事項が明らかとなる。
【００１２】
縦方向と、前記縦方向と交差する横方向と、を有し、
排泄物を吸収する吸収性本体と、
前記吸収性本体の前記縦方向における一端部に固定された背側帯部材と、
前記吸収性本体の前記縦方向における他端部に固定された腹側帯部材と、を備え、
前記背側帯部材の前記横方向における両縁部と前記腹側帯部材の前記横方向における両縁部が接合されて形成された吸収性物品であって、
弾性部材を備え、前記吸収性本体、前記背側帯部材、及び前記腹側帯部材とは別の別体背側帯部材及び別体腹側帯部材を有し、
前記別体背側帯部材と前記背側帯部材のうちの一方の背側部材が前記吸収性本体の内側に、他方の背側部材が前記吸収性本体の外側に、それぞれ位置した状態で、該一方の背側部材と該他方の背側部材とが前記吸収性本体を挟んでおり、かつ、前記一方の背側部材と前記吸収性本体の隙間には、パッドの一端部を挿入する一端挿入部が形成され、
前記別体腹側帯部材と前記腹側帯部材のうちの一方の腹側部材が前記吸収性本体の内側に、他方の腹側部材が前記吸収性本体の外側に、それぞれ位置した状態で、該一方の腹側部材と該他方の腹側部材とが前記吸収性本体を挟んでおり、かつ、前記一方の腹側部材と前記吸収性本体の隙間には、パッドの他端部を挿入する他端挿入部が形成されていることを特徴とする吸収性物品。
【００１３】
このような吸収性物品によれば、吸収性物品に挿入されたパッドを適切な位置に維持させることが可能となる。
【００１４】
かかる吸収性物品であって、
前記背側帯部材が前記吸収性本体の内側に、前記別体背側帯部材が前記吸収性本体の外側に、それぞれ位置した状態で、前記背側帯部材と前記別体背側帯部材とが前記吸収性本体を挟んでおり、かつ、前記背側帯部材と前記吸収性本体の隙間には、前記一端挿入部が形成され、  前記腹側帯部材が前記吸収性本体の内側に、前記別体腹側帯部材が前記吸収性本体の外側に、それぞれ位置した状態で、前記腹側帯部材と前記別体腹側帯部材とが前記吸収性本体を挟んでおり、かつ、前記腹側帯部材と前記吸収性本体の隙間には、前記他端挿入部が形成されていることが望ましい。
【００１５】
このような吸収性物品によれば、別体帯部材が外側に位置するケースにおいて、吸収性物品に挿入されたパッドを適切な位置に維持させることが可能となる。
【００１６】
かかる吸収性物品であって、
前記別体背側帯部材と前記吸収性本体とが接合され、かつ、前記別体腹側帯部材と前記吸収性本体とが接合されていることが望ましい。
【００１７】
このような吸収性物品によれば、別体背側帯部材や別体腹側帯部材が、吸収性本体から浮き上がることがなく、したがって、吸収性本体を介してパッドをより適切に押さえることが可能となる。そのため、より確実にパッドを適切な位置に維持させることが可能となる。
【００１８】
かかる吸収性物品であって、
前記別体背側帯部材と前記別体腹側帯部材とが接合されていることが望ましい。
【００１９】
このような吸収性物品によれば、別体背側帯部材と別体腹側帯部材とが環状に成形され、着用者の体が、弾性部材の入った当該環に囲まれた状態で別体背側帯部材と別体腹側帯部材により押されることとなる。したがって、着用者の体と別体背側帯部材（別体腹側帯部材）との間に位置するパッドをより適切に押さえることが可能となり、より確実にパッドを適切な位置に維持させることが可能となる。
【００２０】
かかる吸収性物品であって、
前記別体背側帯部材は、前記背側帯部材と重なった状態で、前記縦方向において該背側帯部材よりも前記吸収性本体の中央側に位置し、
前記別体腹側帯部材は、前記腹側帯部材と重なった状態で、前記縦方向において該腹側帯部材よりも前記吸収性本体の中央側に位置することが望ましい。
【００２１】
このような吸収性物品によれば、より股間に近い位置でパッドと着用者の体との密着性を高めることが可能となる。
【００２２】
かかる吸収性物品であって、
前記別体背側帯部材は、前記背側帯部材と重なった状態で、前記縦方向において該背側帯部材よりも前記吸収性本体の中央側に位置し、
前記別体腹側帯部材は、前記腹側帯部材と重なった状態で、前記縦方向において該腹側帯部材よりも前記吸収性本体の中央側に位置し、
前記別体背側帯部材と前記別体腹側帯部材のうちの少なくとも一方の部材の、重なり部分に対応する位置には、前記弾性部材が設けられていることが望ましい。
【００２３】
このような吸収性物品によれば、前記少なくとも一方の部材と吸収性本体との隙間に挿入されたパッドは、当該パッドに重なった状態の弾性部材により押圧されることとなる。したがって、パッドをより適切に押さえることができ、より確実にパッドを適切な位置に維持させることが可能となる。
【００２４】
かかる吸収性物品であって、
前記別体背側帯部材と前記別体腹側帯部材のうちの少なくとも一方の部材の、非重なり部分に対応する位置には、前記弾性部材が設けられていることが望ましい。
【００２５】
このような吸収性物品によれば、より広い範囲でパッドを適切に押さえることができ、より確実にパッドを適切な位置に維持させることが可能となる。
【００２６】
かかる吸収性物品であって、
前記別体腹側帯部材の前記縦方向における長さは、前記別体背側帯部材の前記縦方向における長さよりも小さいことが望ましい。
【００２７】
このような吸収性物品によれば、別体腹側帯部材をより短くすることで足の可動がなるべく妨げられないようにすることを考慮しつつ、パッドを適切な位置に維持させることが可能となる。
【００２８】
かかる吸収性物品であって、
前記別体背側帯部材と前記別体腹側帯部材のうちの少なくとも一方の部材の前記横方向における端部よりも中央部において、前記弾性部材の応力が小さいことが望ましい。
【００２９】
このような吸収性物品によれば、中央部に対応する位置に位置する吸収性本体が当該応力により横方向に縮むことによりパッドの一端挿入部（他端挿入部）への挿入が行いにくくなる事象の発生を抑制することを考慮しつつ、パッドを適切な位置に維持させることが可能となる。
【００３０】
かかる吸収性物品であって、
前記吸収性本体はサイドフラップを有し、
前記サイドフラップに設けられた弾性部材と、前記別体背側帯部材と前記別体腹側帯部材のうちの少なくとも一方の部材に設けられた弾性部材と、が交差しており、
双方の前記弾性部材の交差点は、前記吸収性本体と前記一方の部材との重なり部分において双方の部材を接合するための接合部上に位置することが望ましい。
【００３１】
このような吸収性物品によれば、互いに交差する弾性部材が互いに直接的に連係することができるようになり、パッドをより適切に押さえることができる。したがって、より確実にパッドを適切な位置に維持させることが可能となる。
【００３２】
かかる吸収性物品であって、
前記別体背側帯部材と前記別体腹側帯部材のうちの少なくとも一方の部材に設けられた弾性部材は、前記吸収性本体と交差していることが望ましい。
【００３３】
このような吸収性物品によれば、弾性部材の弾性力により吸収性本体の前記横方向における一端から他端に亘って押さえることが可能となり、パッドをより適切に押さえることができる。したがって、より確実にパッドを適切な位置に維持させることが可能となる。
【００３４】
＝＝＝本実施の形態に係る使い捨ておむつについて＝＝＝
図１は、パッドＰが挿入されたおむつ１の斜視イメージ図である。図２は、パッドＰが挿入されたおむつ１の断面概念図である。図３は、パッドＰの平面概念図である。図４は、展開状態のおむつ１の概略平面図である。図５は、展開状態のおむつ１の概略横断面図である。図６は、展開状態のおむつ１の概略縦断面図である。図７は、図４から別体背側帯部材４０のみを取り出した図であり、おむつ１に設けられた別体背側帯部材４０の概略平面図である。図８は、図４から別体腹側帯部材４５のみを取り出した図であり、おむつ１に設けられた別体腹側帯部材４５の概略平面図である。
【００３５】
本実施の形態に係る吸収性物品の一例としての使い捨ておむつ（以下、単におむつ１とも呼ぶ）は、主に大人を着用対象とした使い捨ておむつであり、特に介護施設等で用いられる。
【００３６】
また、おむつ１は、パッドＰ（図３参照）を挿入して用いることが想定されている。このパッドＰは、おむつ１と同様、吸収体が不織布に覆われたものであり、おむつ１と着用者の肌との間に挿入して使用される。そして、仮にパッドＰが挿入されずおむつ１単体でおむつ１を使用する場合には、排泄物が排泄される度におむつ１を交換しなければならないが、パッドＰを挿入した状態でおむつ１が使用された場合には、排泄物が排泄された際に主にパッドＰの吸収体の方で排泄物が吸収されるため、パッドＰのみを交換することで足りる。したがって、パッドＰを用いると、排泄物が排泄される度におむつ１を交換する必要はなく、おむつ１を長期間使用することができる。
【００３７】
以下の説明では、おむつ１の縦方向、横方向、厚さ方向のことを、それぞれ単に「縦方向」、「横方向」、「厚さ方向」と言う。なお、厚さ方向に関しては、着用者に接触する側のことを「肌側」又は「内側」とも言い、その逆側のことを「非肌側」又は「外側」とも言う。また、以下の説明では「横方向」のことを「幅方向」とも呼ぶ。
【００３８】
本実施の形態に係るおむつ１は、互いに交差（直交）する三方向として縦方向と横方向と厚さ方向とを有している。また、おむつ１は、所謂３ピースタイプであり、３つの部品を有している。すなわち、このおむつ１は、第１部品として、着用者の股間部にあてがわれ尿等の排泄物を吸収する吸収性本体１０を有し、第２部品として、同着用者の腹側部を覆う腹側帯部材２０を有し、第３部品として、同着用者の背側部を覆う背側帯部材３０を有している。
【００３９】
さらに、本実施の形態に係るおむつ１においては、４番目及び５番目の部品として、吸収性本体１０、腹側帯部材２０、及び背側帯部材３０とは別の別体背側帯部材４０及び別体腹側帯部材４５が、前記３つの部品に付加されている。これらの別体帯部材は、おむつ１に挿入されたパッドＰを適切な位置に維持させるために備えられたものであり（後に詳述する）、別体背側帯部材４０は、背側帯部材３０と重なった状態で、前記縦方向において該背側帯部材３０よりも吸収性本体１０の中央側に位置し、別体腹側帯部材４５は、腹側帯部材２０と重なった状態で、前記縦方向において該腹側帯部材２０よりも吸収性本体１０の中央側に位置している。
【００４０】
図４の展開状態では、別体背側帯部材４０が重ねられた背側帯部材３０と別体腹側帯部材４５が重ねられた腹側帯部材２０とが互いに縦方向に間隔をあけて平行に並んだ状態で、これらの間に吸収性本体１０が掛け渡されている。そして、吸収性本体１０の縦方向における一端部１０ａに背側帯部材３０が、他端部１０ｂに腹側帯部材２０が固定されており、その外観形状は平面視略Ｈ形状をなしている。
【００４１】
そして、この状態から、吸収性本体１０がその長手方向（つまり、縦方向）の略中央部を折り位置として二つ折りされる。この二つ折りの状態において互いに対向する腹側帯部材２０と背側帯部材３０とが、接合・連結されると、これら帯部材同士が環状に成形される。つまり、おむつ１は、背側帯部材３０の横方向における両縁部３０ａと腹側帯部材２０の横方向における両縁部２０ａが接合されて形成されている。これにより、図１に示すような胴周り開口１ａ及び一対の脚周り開口１ｂが形成された着用状態のおむつ１となる。
【００４２】
以下、おむつ１の５つの構成部品、すなわち、吸収性本体１０、腹側帯部材２０、背側帯部材３０、別体背側帯部材４０、別体腹側帯部材４５について説明する。
【００４３】
吸収性本体１０（図４乃至図６参照）は、着用者の股間（股下）に対応し、尿等の排泄物を吸収するためのものである。この吸収性本体１０は、図４に示すように、平面視長方形状を有しており、長手方向（長辺方向）が縦方向に沿うように設けられている。
【００４４】
吸収性本体１０は、吸収体１１と、吸収体上シート部材１２と、吸収体下シート部材１３と、トップシート部材１４と、バックシート部材１５と、を備えている。
【００４５】
吸収体１１は、液体吸収性素材を積層してなる部材（吸収性コア）であり、尿等の排泄物を吸収することができる。本実施の形態に係る吸収体１１は、所謂ＳＡＰシートである。ここで、ＳＡＰシートの吸収体１１とは、実質的にパルプを含まず（ここで、「実質的にパルプを含まない」とは、吸収体１１の全体重量の１０％よりもパルプの重量が少ないことを意味する）、吸収性ポリマーからなる吸収体１１である。なお、本実施の形態に係るＳＡＰシートには、パルプが全く含まれていない。
【００４６】
吸収体上シート部材１２と吸収体下シート部材１３は、図５に示すように、吸収体１１を厚み方向における上側（肌側）と下側（非肌側）から挟んで被覆した液透過性シート（不織布）である。
【００４７】
トップシート部材１４は、図５に示すように、吸収体上シート部材１２と吸収体下シート部材１３により挟まれた吸収体１１を上側（肌側）から覆うシート状の部材であり、吸収体１１よりも大きい平面サイズの液透過性の不織布である。
【００４８】
バックシート部材１５は、図５に示すように、吸収体上シート部材１２と吸収体下シート部材１３により挟まれた吸収体１１を下側（非肌側）から覆うシート状の部材である。このバックシート部材１５は、吸収体１１よりも大きい平面サイズのシートであり、ポリエチレン又はポリプロピレン等の液不透過性の防漏シート１５ａと、不織布等の外装シート１５ｂとからなる二層構造のシートである。
【００４９】
また、吸収性本体１０の幅方向における両側部に位置する部位、つまり、一対のサイドフラップ１６には、図４に示すように、縦方向に沿って伸縮するレッグギャザーＬＧ（脚周り伸縮部）がそれぞれ設けられている。防漏シート１５ａと外装シート１５ｂとの間には、縦方向に沿って伸縮する弾性部材（具体的には、糸ゴム。便宜上、吸収性本体糸ゴム１７と呼ぶ。図において、破線で示す）が配置されており、当該吸収性本体糸ゴム１７がサイドフラップ１６に伸縮性を付与することによって、レッグギャザーＬＧが構成される。サイドフラップ１６の吸収性本体糸ゴム１７は、吸収性本体１０の幅方向における一方の側部に４本、他方の側部に４本設けられている。
【００５０】
腹側帯部材２０（図４乃至図６参照）は、着用者の腹部に対応するシート状部材である。この腹側帯部材２０は、図４に示すように、平面視長方形状を有しており、長手方向（長辺方向）が横方向に沿うように設けられている。この腹側帯部材２０は、二枚の不織布２１を重ねて接合することにより形成されている。なお、本実施の形態においては、図４及び図５に示すように、当該二枚の不織布２１の間に、花柄等の不図示のイラストが形成されたイラストシート２２が設けられている。
【００５１】
腹側帯部材２０は、吸収性本体１０の縦方向における他端部１０ｂに重ねられ、接合固定されている。腹側帯部材２０の、吸収性本体１０に重ねられた部分は、前記横方向における腹側帯部材２０の中央部かつ前記縦方向における腹側帯部材２０の吸収性本体１０の中央から近い側に設けられている。すなわち、前記横方向における腹側帯部材２０の両端部と、前記縦方向における腹側帯部材２０の吸収性本体１０の中央から遠い側には、吸収性本体１０が重ねられていない。
【００５２】
また、接合固定は、この重なり部分６４の前記横方向における両端部６４ａと前記縦方向における吸収性本体１０の中央から遠い側の端部（便宜上、遠端部６４ｂと呼ぶ）において行われている。しかしながら、前記縦方向における吸収性本体１０の中央から近い側の端部（便宜上、近端部６４ｃと呼ぶ）と、中央部６４ｄにおいては、接合固定が行われていない。そのため、腹側帯部材２０と吸収性本体１０の隙間には、パッドＰの長手方向における他端部Ｐｂを挿入するための、近端部６４ｃを開口とするポケット状の他端挿入部８２が形成される。そして、図２に示すように、おむつ１にパッドＰが挿入される際には、パッドＰの他端部Ｐｂが他端挿入部８２に挿入されることとなる。
【００５３】
また、本実施の形態においては、腹側帯部材２０が、肌側（内側）から吸収性本体１０を覆うように吸収性本体１０に重ねられている。すなわち、腹側帯部材２０は吸収性本体１０の肌側（内側）に位置している。
【００５４】
また、腹側帯部材２０には、図４及び図６に示すように、横方向に沿って伸縮する弾性部材（具体的には、糸ゴム。便宜上、腹側帯糸ゴム２３と呼ぶ。図において、破線で示す）が複数（本実施の形態においては、１８本）配置されている。この腹側帯糸ゴム２３は、二枚の不織布２１の間に介装され、二枚の不織布２１に接合固定されている。また、複数の腹側帯糸ゴム２３の各々は、腹側帯部材２０の前記横方向における一端から他端に亘って設けられおり、さらに、これらの腹側帯糸ゴム２３は前記縦方向において並んだ状態となっている。そして、このことにより、腹側帯部材２０には、横方向の伸縮性が付与され、おむつ１の胴周り開口１ａに伸縮性を与えている。
【００５５】
なお、腹側帯部材２０と吸収性本体１０の境界部には、引き上げ強度強化のためのシート状のカバー部材５０（不織布）が設けられている。
【００５６】
背側帯部材３０（図４乃至図６参照）は、着用者の背部及び臀部に対応するシート状部材である。この背側帯部材３０は、図４に示すように、平面視長方形状を有しており、長手方向（長辺方向）が横方向に沿うように設けられている。この背側帯部材３０は、二枚の不織布３１を重ねて接合することにより形成されている。なお、本実施の形態においては、図４及び図５に示すように、当該二枚の不織布３１の間に、花柄等の不図示のイラストが形成されたイラストシート３２が設けられている。
【００５７】
背側帯部材３０は、吸収性本体１０の縦方向における一端部１０ａに重ねられ、接合固定されている。背側帯部材３０の、吸収性本体１０に重ねられた部分は、前記横方向における背側帯部材３０の中央部かつ前記縦方向における背側帯部材３０の吸収性本体１０の中央から近い側に設けられている。すなわち、前記横方向における背側帯部材３０の両端部と、前記縦方向における背側帯部材３０の吸収性本体１０の中央から遠い側には、吸収性本体１０が重ねられていない。
【００５８】
また、接合固定は、この重なり部分６６の前記横方向における両端部６６ａと前記縦方向における吸収性本体１０の中央から遠い側の遠端部６６ｂにおいて行われている。しかしながら、前記縦方向における吸収性本体１０の中央から近い側の近端部６６ｃと、中央部６６ｄにおいては、接合固定が行われていない。そのため、背側帯部材３０と吸収性本体１０の隙間には、パッドＰの長手方向における一端部Ｐａを挿入するための、近端部６６ｃを開口とするポケット状の一端挿入部８０が形成される。そして、図２に示すように、おむつ１にパッドＰが挿入される際には、パッドＰの一端部Ｐａが一端挿入部８０に挿入されることとなる。
【００５９】
また、本実施の形態においては、背側帯部材３０が、肌側（内側）から吸収性本体１０を覆うように吸収性本体１０に重ねられている。すなわち、背側帯部材３０は吸収性本体１０の肌側（内側）に位置している。
【００６０】
また、背側帯部材３０には、図４及び図６に示すように、横方向に沿って伸縮する弾性部材（具体的には、糸ゴム。便宜上、背側帯糸ゴム３３と呼ぶ。図において、破線で示す）が複数（本実施の形態においては、１６本）配置されている。この背側帯糸ゴム３３は、二枚の不織布３１の間に介装され、二枚の不織布３１に接合固定されている。また、複数の背側帯糸ゴム３３の各々は、背側帯部材３０の前記横方向における一端から他端に亘って設けられており、さらに、これらの背側帯糸ゴム３３は前記縦方向において並んだ状態となっている。そして、このことにより、背側帯部材３０には、横方向の伸縮性が付与され、おむつ１の胴周り開口１ａに伸縮性を与えている。
【００６１】
なお、背側帯部材３０と吸収性本体１０の境界部には、引き上げ強度強化のためのシート状のカバー部材５０（不織布）が設けられている。
【００６２】
別体背側帯部材４０（図４乃至図７参照）は、おむつ１に挿入されたパッドＰを適切な位置に維持させるためのシート状部材である。別体背側帯部材４０は、図４に示すように、背側帯部材３０と重なった状態で、縦方向において背側帯部材３０よりも吸収性本体１０の中央側（換言すれば、腹側帯部材２０側）に位置している。また、当該別体背側帯部材４０は、図４及び図７に示すように、背側帯部材３０と同様、概ね長手方向が横方向に沿うように設けられている（厳密には、別体背側帯部材４０の前記横方向における中央部４０ａが端部４０ｂよりも吸収性本体１０の中央側（換言すれば、腹側帯部材２０側）に位置するように蛇行した状態で設けられている）。
【００６３】
別体背側帯部材４０は、二枚の不織布４１を重ねて接合することにより形成されている。なお、本実施の形態においては、二枚の不織布４１の横方向における長さが同じである一方で、図６に示すように、縦方向における長さが異なっている。しかしながら、縦方向における長さも同じであってもよい。
【００６４】
別体背側帯部材４０は、前述したとおり、背側帯部材３０に重ねられているが、図６に示すように、非肌側（外側）から背側帯部材３０を覆うように背側帯部材３０に重ねられている。また、背側帯部材３０の非肌側（外側）には吸収性本体１０が位置するため、別体背側帯部材４０と背側帯部材３０との重なり部分７０の中には、双方が吸収性本体１０を介して重なっている部分（重なり部分７０の前記横方向における中央部に位置している。第一重なり領域Ａ１と呼ぶ）と、双方が吸収性本体１０を介さないで重なっている部分（重なり部分７０の前記横方向における両端部に位置している。第二重なり領域Ａ２と呼ぶ）とが存在する。つまり、第一重なり領域Ａ１においては、別体背側帯部材４０と背側帯部材３０とが、吸収性本体１０を挟んだ状態で重なっており、第二重なり領域Ａ２においては、別体背側帯部材４０と背側帯部材３０とが接触した状態で重なっている。なお、重なり部分７０は、背側帯部材３０や別体背側帯部材４０の前記横方向における一端から他端に亘って設けられており、概ね当該横方向に沿うように設けられている。
【００６５】
また、第一重なり領域Ａ１においては、別体背側帯部材４０が吸収性本体１０を介して背側帯部材３０に重なっているため、吸収性本体１０から見ると別体背側帯部材４０が自身（吸収性本体１０自体）に重なっていることとなる。また、図４に示すように、第一重なり領域Ａ１と隣接し、第一重なり領域Ａ１よりも吸収性本体１０の中央側（換言すれば、腹側帯部材２０側）に位置する領域（第三重なり領域Ａ３）においても別体背側帯部材４０が吸収性本体１０に重なっている。つまり、吸収性本体１０と別体背側帯部材４０の重なり部分７２として、第一重なり領域Ａ１と第三重なり領域Ａ３が存在している。図４から明らかな通り、重なり部分７２の縦方向における長さは、重なり部分７０の縦方向における長さよりも長く、重なり部分７２の横方向における長さは、重なり部分７０の横方向における長さよりも短くなっている。なお、重なり部分７２は吸収性本体１０の前記横方向における一端から他端に亘って設けられており、概ね当該横方向に沿うように設けられている。
【００６６】
このように、別体背側帯部材４０は、吸収性本体１０や背側帯部材３０の非肌側（外側）に位置している。そして、前述したとおり、背側帯部材３０は吸収性本体１０の肌側（内側）に位置しているため、図２に示すように、背側帯部材３０が吸収性本体１０の内側に、別体背側帯部材４０が吸収性本体１０の外側に、それぞれ位置した状態で、背側帯部材３０と別体背側帯部材４０とが吸収性本体１０を挟んでいる。なお、本実施の形態においては、前述したとおり、第一重なり領域Ａ１において、別体背側帯部材４０と背側帯部材３０とが吸収性本体１０を挟んでいる。そして、当該第一重なり領域Ａ１においては、別体背側帯部材４０が、前述した重なり部分６６に位置する一端挿入部８０を非肌側（外側）から覆うこととなる。
【００６７】
また、重なり部分７２（第一重なり領域Ａ１及び第三重なり領域Ａ３）においては、別体背側帯部材４０と吸収性本体１０とが接合されている。また、第二重なり領域Ａ２においては、別体背側帯部材４０と背側帯部材３０とが接合されている。
【００６８】
また、背側帯部材３０の横方向における両縁部３０ａが腹側帯部材２０の横方向における両縁部２０ａと接合されていることについて既に説明したが、別体背側帯部材４０の横方向における両縁部４２も腹側帯部材２０の横方向における両縁部２０ａと接合されている。また、当該両縁部４２は、後述する別体腹側帯部材４５の横方向における両縁部４７とも接合されている。
【００６９】
また、別体背側帯部材４０には、図４、図６、図７に示すように、概ね横方向に沿って伸縮する弾性部材（具体的には、糸ゴム。便宜上、別体背側帯糸ゴム４３と呼ぶ。図において、破線で示す）が複数（本実施の形態においては、５本）配置されている。この別体背側帯糸ゴム４３は、二枚の不織布４１の間に介装され、二枚の不織布４１に接合固定されている。また、複数の別体背側帯糸ゴム４３の各々は、図４に示すように、別体背側帯部材４０の前記横方向における一端から他端に亘って設けられており、吸収性本体１０と交差している。さらに、これらの別体背側帯糸ゴム４３は前記縦方向において並んだ状態となっている。そして、このことにより、別体背側帯部材４０には、概ね横方向の伸縮性が付与される。
【００７０】
また、別体背側帯糸ゴム４３の応力（換言すれば、別体背側帯糸ゴム４３の張力。すなわち、別体背側帯糸ゴム４３の伸縮方向における別体背側帯部材４０の応力）は、別体背側帯部材４０の前記横方向における端部４０ｂよりも中央部４０ａにおいて小さくなっている（このようにした理由については、後述する）。本実施の形態においては、別体背側帯糸ゴム４３を別体背側帯部材４０に取り付ける際に、端部４０ｂよりも中央部４０ａにおいて別体背側帯糸ゴム４３を緩めた状態で取り付けている（端部４０ｂの方が別体背側帯糸ゴム４３をより伸ばして取り付けている）。このことにより、中央部４０ａと端部４０ｂにおける応力差を実現している。
【００７１】
また、本実施の形態においては、前述したとおり、５本の別体背側帯糸ゴム４３が縦方向において並んでいるが、５本の別体背側帯糸ゴム４３が均等なピッチで並んでいるわけではない。すなわち、これらの別体背側帯糸ゴム４３のうちの４本が別体背側帯部材４０の前記縦方向における両端部のうちの吸収性本体１０の中央から近い方の端部（便宜上、近端部４０ｃと呼ぶ）に、１本が遠い方の端部（便宜上、遠端部４０ｄと呼ぶ）に、それぞれ位置している。そして、遠端部４０ｄの別体背側帯糸ゴム４３（遠端糸ゴム４３ｂ）は、背側帯部材３０と別体背側帯部材４０との重なり部分７０に位置している（交差している）一方で、近端部４０ｃの別体背側帯糸ゴム４３（近端糸ゴム４３ａ）は重なり部分７０に位置していない。つまり、別体背側帯部材４０の、重なり部分７０と非重なり部分の双方に対応する位置に、別体背側帯糸ゴム４３が設けられている。
【００７２】
また、４本の近端糸ゴム４３ａは、サイドフラップ１６に設けられた吸収性本体糸ゴム１７と交差している。そして、双方の糸ゴムの交差点（複数存在する。例えば、図４における交差点Ｃ１）は、吸収性本体１０と別体背側帯部材４０との重なり部分７２において双方の部材を接合する接合部上に位置している。換言すれば、交差点Ｃ１において吸収性本体１０と別体背側帯部材４０とが接合されている。
【００７３】
別体腹側帯部材４５（図４乃至図６、図８参照）は、おむつ１に挿入されたパッドＰを適切な位置に維持させるためのシート状部材である。別体背側帯部材４０は、図４に示すように、腹側帯部材２０と重なった状態で、縦方向において腹側帯部材２０よりも吸収性本体１０の中央側（換言すれば、背側帯部材３０側）に位置している。また、当該別体腹側帯部材４５は、図４に示すように、腹側帯部材２０と同様、長手方向が横方向に沿うように設けられている。なお、別体腹側帯部材４５の前記縦方向における長さは、前記別体背側帯部材４０の前記縦方向における長さよりも小さくなっている。
【００７４】
別体腹側帯部材４５は、二枚の不織布４６を重ねて接合することにより形成されている。なお、本実施の形態においては、二枚の不織布４６の横方向における長さが同じである一方で、図６に示すように、縦方向における長さが異なっている。しかしながら、縦方向における長さも同じであってもよい。
【００７５】
別体腹側帯部材４５は、前述したとおり、腹側帯部材２０に重ねられているが、図６に示すように、非肌側（外側）から腹側帯部材２０を覆うように腹側帯部材２０に重ねられている。また、腹側帯部材２０の非肌側（外側）には吸収性本体１０が位置するため、別体腹側帯部材４５と腹側帯部材２０との重なり部分７４の中には、双方が吸収性本体１０を介して重なっている部分（重なり部分７４の前記横方向における中央部に位置している。第四重なり領域Ａ４と呼ぶ）と、双方が吸収性本体１０を介さないで重なっている部分（重なり部分７４の前記横方向における両端部に位置している。第五重なり領域Ａ５と呼ぶ）とが存在する。つまり、第四重なり領域Ａ４においては、別体腹側帯部材４５と腹側帯部材２０とが、吸収性本体１０を挟んだ状態で重なっており、第五重なり領域Ａ５においては、別体腹側帯部材４５と腹側帯部材２０とが接触した状態で重なっている。なお、重なり部分７４は、腹側帯部材２０や別体腹側帯部材４５の前記横方向における一端から他端に亘って設けられており、当該横方向に沿うように設けられている。
【００７６】
また、第四重なり領域Ａ４においては、別体腹側帯部材４５が吸収性本体１０を介して腹側帯部材２０に重なっているため、吸収性本体１０から見ると別体腹側帯部材４５が自身（吸収性本体１０自体）に重なっていることとなる。また、図４に示すように、第四重なり領域Ａ４と隣接し、第四重なり領域Ａ４よりも吸収性本体１０の中央側（換言すれば、背側帯部材３０側）に位置する領域（第六重なり領域Ａ６）においても別体腹側帯部材４５が吸収性本体１０に重なっている。つまり、吸収性本体１０と別体腹側帯部材４５の重なり部分７６として、第四重なり領域Ａ４と第六重なり領域Ａ６が存在している。図４から明らかな通り、重なり部分７６の縦方向における長さは、重なり部分７４の縦方向における長さよりも長く、重なり部分７６の横方向における長さは、重なり部分７４の横方向における長さよりも短くなっている。なお、重なり部分７６は吸収性本体１０の前記横方向における一端から他端に亘って設けられており、当該横方向に沿うように設けられている。
【００７７】
このように、別体腹側帯部材４５は、吸収性本体１０や腹側帯部材２０の非肌側（外側）に位置している。そして、前述したとおり、腹側帯部材２０は吸収性本体１０の肌側（内側）に位置しているため、図２に示すように、腹側帯部材２０が吸収性本体１０の内側に、別体腹側帯部材４５が吸収性本体１０の外側に、それぞれ位置した状態で、腹側帯部材２０と別体腹側帯部材４５とが吸収性本体１０を挟んでいる。なお、本実施の形態においては、前述したとおり、第四重なり領域Ａ４において、別体腹側帯部材４５と腹側帯部材２０とが吸収性本体１０を挟んでいる。そして、当該第四重なり領域Ａ４においては、別体腹側帯部材４５が、前述した重なり部分６４に位置する他端挿入部８２を非肌側（外側）から覆うこととなる。
【００７８】
また、重なり部分７６（第四重なり領域Ａ４及び第六重なり領域Ａ６）においては、別体腹側帯部材４５と吸収性本体１０とが接合されている。また、第五重なり領域Ａ５においては、別体腹側帯部材４５と腹側帯部材２０とが接合されている。
【００７９】
また、別体腹側帯部材４５には、図４、図６、図８に示すように、横方向に沿って伸縮する弾性部材（具体的には、糸ゴム。便宜上、別体腹側帯糸ゴム４８と呼ぶ。図において、破線で示す）が複数（本実施の形態においては、３本）配置されている。この別体腹側帯糸ゴム４８は、二枚の不織布４１の間に介装され、二枚の不織布４１に接合固定されている。また、複数の別体腹側帯糸ゴム４８の各々は、図４に示すように、別体腹側帯部材４５の前記横方向における一端から他端に亘って設けられており、吸収性本体１０と交差している。さらに、これらの別体腹側帯糸ゴム４８は前記縦方向において並んだ状態となっている。そして、このことにより、別体腹側帯部材４５には、横方向の伸縮性が付与される。また、別体腹側帯糸ゴム４８の応力（換言すれば、別体腹側帯糸ゴム４８の張力。すなわち、別体腹側帯糸ゴム４８の伸縮方向における別体腹側帯部材４５の応力）が、別体腹側帯部材４５の前記横方向における端部４５ｂよりも中央部４５ａにおいて小さくなっている。
【００８０】
３本の別体腹側帯糸ゴム４８は、別体腹側帯部材４５の前記縦方向における両端部のうちの吸収性本体１０の中央に近い方の端部に位置している。そして、別体腹側帯糸ゴム４８は腹側帯部材２０と別体腹側帯部材４５との重なり部分７４には位置していない。また、別体腹側帯糸ゴム４８は、サイドフラップ１６に設けられた吸収性本体糸ゴム１７と交差している。そして、双方の糸ゴムの交差点（複数存在する。例えば、図４における交差点Ｃ２）は、吸収性本体１０と別体腹側帯部材４５との重なり部分７６において双方の部材を接合する接合部上に位置している。換言すれば、交差点Ｃ２において吸収性本体１０と別体腹側帯部材４５とが接合されている。
【００８１】
＝＝＝本実施の形態に係るおむつ１の有効性について＝＝＝
上述したとおり、本実施の形態に係るおむつ１は、縦方向と、前記縦方向と交差する横方向と、を有し、排泄物を吸収する吸収性本体１０と、吸収性本体１０の前記縦方向における一端部１０ａに固定された背側帯部材３０と、吸収性本体１０の前記縦方向における他端部１０ｂに固定された腹側帯部材２０と、を備え、背側帯部材３０の前記横方向における両縁部３０ａと腹側帯部材２０の前記横方向における両縁部２０ａが接合されて形成されたおむつ１であった。また、糸ゴムを備え、吸収性本体１０、背側帯部材３０、及び腹側帯部材２０とは別の別体背側帯部材４０及び別体腹側帯部材４５を有し、別体背側帯部材４０と背側帯部材３０のうちの一方の背側部材（本実施の形態においては、背側帯部材３０）が吸収性本体１０の内側に、他方の背側部材（本実施の形態においては、別体背側帯部材４０）が吸収性本体１０の外側に、それぞれ位置した状態で、該背側帯部材３０と該別体背側帯部材４０とが吸収性本体１０を挟んでおり、かつ、背側帯部材３０と前記吸収性本体１０の隙間には、パッドＰの一端部Ｐａを挿入する一端挿入部８０が形成され、別体腹側帯部材４５と腹側帯部材２０のうちの一方の腹側部材（本実施の形態においては、腹側帯部材２０）が吸収性本体１０の内側に、他方の腹側部材（本実施の形態においては、別体腹側帯部材４５）が吸収性本体１０の外側に、それぞれ位置した状態で、該腹側帯部材２０と該別体腹側帯部材４５とが吸収性本体１０を挟んでおり、かつ、腹側帯部材２０と吸収性本体１０の隙間には、パッドＰの他端部Ｐｂを挿入する他端挿入部８２が形成されていることとした。そのため、おむつ１に挿入されたパッドＰを適切な位置に維持させることが可能となる。
【００８２】
従来、排泄物を吸収する吸収性本体と、吸収性本体の縦方向における一端部に固定された背側帯部材と、吸収性本体の縦方向における他端部に固定された腹側帯部材と、を備え、背側帯部材の横方向における両縁部と腹側帯部材の横方向における両縁部が接合されて形成されている所謂３ピースタイプのおむつが広く用いられている。
【００８３】
そして、かかるおむつを使用する際には、当該おむつにパッドを挿入して用いる場合がある。背側帯部材と吸収性本体との隙間には、パッドの一端部を挿入するための一端挿入部が形成され、腹側帯部材と吸収性本体との隙間には、パッドの他端部を挿入するための他端挿入部が形成されており、吸収性物品にパッドを挿入する際には、パッドの一端部を一端挿入部に他端部を他端挿入部にそれぞれ挿入することとなる。
【００８４】
しかしながら、従来は、一端挿入部及び他端挿入部において当該パッドが適切に押さえられず、パッドを適切な位置に維持させることができない（パッドが動きやすくなる）課題があった。このことにより、パッドがずれて、排泄物の漏れが生ずる問題があった。
【００８５】
これに対し、本実施の形態においては、糸ゴムが備えられた別体背側帯部材４０及び別体腹側帯部材４５を別途用意し、背側帯部材３０と別体背側帯部材４０とが吸収性本体１０を挟むようにし、腹側帯部材２０と別体腹側帯部材４５とが吸収性本体１０を挟むようにした。そのため、背側帯部材３０と吸収性本体１０との隙間、すなわち、一端挿入部８０に挿入されたパッドＰの一端部Ｐａが、別体背側帯部材４０と背側帯部材３０に挟まれた状態で双方の部材により適切に押さえられる。また、腹側帯部材２０と吸収性本体１０との隙間、すなわち、他端挿入部８２に挿入されたパッドＰの他端部Ｐｂが、別体腹側帯部材４５と腹側帯部材２０に挟まれた状態で双方の部材により適切に押さえられる。そのため、パッドＰを適切な位置に維持させることが可能となり（パッドＰが動きにくくなり）、パッドＰがずれて排泄物の漏れが生ずる問題を抑制することが可能となる。
【００８６】
また、本実施の形態においては、別体背側帯部材４０と吸収性本体１０とが接合され、かつ、別体腹側帯部材４５と吸収性本体１０とが接合されていることとした。そのため、別体背側帯部材４０や別体腹側帯部材４５が、吸収性本体１０から浮き上がることがなく、したがって、吸収性本体１０を介してパッドＰをより適切に押さえることが可能となる。そのため、より確実にパッドＰを適切な位置に維持させることが可能となる。
【００８７】
また、本実施の形態においては、別体背側帯部材４０と別体腹側帯部材４５とが接合されていることとした。そのため、別体背側帯部材４０と別体腹側帯部材４５とが環状に成形され、着用者の体が、糸ゴムの入った当該環に囲まれた状態で別体背側帯部材４０と別体腹側帯部材４５により押されることとなる。したがって、着用者の体と別体背側帯部材４０（別体腹側帯部材４５）との間に位置するパッドＰをより適切に押さえることが可能となり、より確実にパッドＰを適切な位置に維持させることが可能となる。
【００８８】
また、本実施の形態においては、別体背側帯部材４０は、背側帯部材３０と重なった状態で、前記縦方向において該背側帯部材３０よりも吸収性本体１０の中央側に位置し、別体腹側帯部材４５は、腹側帯部材２０と重なった状態で、前記縦方向において該腹側帯部材２０よりも吸収性本体１０の中央側に位置することとした。
【００８９】
そのため、別体背側帯部材４０及び別体腹側帯部材４５は、より股間側に配置された状態で外側からパッドＰを着用者の体に押し付けることとなる。そのため、より股間に近い位置でパッドＰと着用者の体との密着性を高めることが可能となる。
【００９０】
また、本実施の形態においては、別体背側帯部材４０と別体腹側帯部材４５のうちの少なくとも一方の部材（本実施の形態においては、別体背側帯部材４０）の、重なり部分（本実施の形態においては、背側帯部材３０と別体背側帯部材４０との重なり部分７０）に対応する位置には、糸ゴム（別体背側帯糸ゴム４３、遠端糸ゴム４３ｂ）が設けられていることとした。そのため、背側帯部材３０と吸収性本体１０との隙間（一端挿入部８０）に挿入されたパッドＰは、当該パッドＰに重なった状態の別体背側帯糸ゴム４３の弾性力により押圧されることとなる。したがって、パッドＰをより適切に押さえることができ、より確実にパッドＰを適切な位置に維持させることが可能となる。
【００９１】
また、本実施の形態においては、別体背側帯部材４０と別体腹側帯部材４５のうちの少なくとも一方の部材（本実施の形態においては、別体背側帯部材４０）の、非重なり部分に対応する位置にも、糸ゴム（別体背側帯糸ゴム４３、近端糸ゴム４３ａ）が設けられていることとした。そのため、より広い範囲でパッドＰを適切に押さえることができ、より確実にパッドＰを適切な位置に維持させることが可能となる。
【００９２】
また、本実施の形態においては、別体腹側帯部材４５の前記縦方向における長さは、別体背側帯部材４０の前記縦方向における長さよりも小さいこととした。そのため、別体腹側帯部材４５をより短くすることで足の可動がなるべく妨げられないようにすることを考慮しつつ、パッドＰを適切な位置に維持させることが可能となる。
【００９３】
また、本実施の形態においては、別体背側帯部材４０と別体腹側帯部材４５のうちの少なくとも一方の部材（本実施の形態においては、双方の部材）の前記横方向における端部よりも中央部において、糸ゴムの応力が小さいこととした。そのため、中央部に対応する位置に位置する吸収性本体１０が当該応力により横方向に縮むことによりパッドＰの一端挿入部８０（他端挿入部８２）への挿入が行いにくくなる事象の発生を抑制することを考慮しつつ、パッドＰを適切な位置に維持させることが可能となる。
【００９４】
また、本実施の形態においては、サイドフラップ１６に設けられた吸収性本体糸ゴム１７と、別体背側帯部材４０と別体腹側帯部材４５のうちの少なくとも一方の部材（本実施の形態においては、双方の部材）に設けられた糸ゴム（別体背側帯糸ゴム４３、別体腹側帯糸ゴム４８）と、が交差しており、吸収性本体糸ゴム１７と双方の部材に設けられた糸ゴム（別体背側帯糸ゴム４３、別体腹側帯糸ゴム４８）の交差点Ｃ１（交差点Ｃ２）は、吸収性本体１０と前記一方の部材（別体背側帯部材４０、別体腹側帯部材４５）との重なり部分７２（重なり部分７６）において双方の部材を接合するための接合部上に位置することとした。そのため、互いに交差する糸ゴムが互いに直接的に連係することができるようになり（双方の糸ゴムの相互作用により）、パッドＰをより適切に押さえることができる。したがって、より確実にパッドＰを適切な位置に維持させることが可能となる。
【００９５】
また、上記実施の形態においては、別体背側帯部材４０と別体腹側帯部材４５のうちの少なくとも一方の部材（本実施の形態においては、双方の部材）に設けられた糸ゴム（別体背側帯糸ゴム４３、別体腹側帯糸ゴム４８）は、吸収性本体１０と交差していることとした。そのため、糸ゴムの弾性力により吸収性本体１０の前記横方向における一端から他端に亘って押さえることが可能となり、吸収性本体１０と背側帯部材３０（腹側帯部材２０）との隙間に位置するパッドＰをより適切に押さえることができる。したがって、より確実にパッドＰを適切な位置に維持させることが可能となる。
【００９６】
＝＝＝その他の実施の形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００９７】
また、上記実施の形態においては、吸収体１１として、実質的にパルプを含まず、吸収性ポリマーからなる吸収体（ＳＡＰシート）を例に挙げて説明したが、これに限定されるものではない。例えば、実質的にパルプを含んだ吸収体１１であってもよい。
【００９８】
また、上記実施の形態においては、背側帯部材３０が吸収性本体１０の内側に、別体背側帯部材４０が吸収性本体１０の外側に、それぞれ位置した状態で、該背側帯部材３０と該別体背側帯部材４０とが吸収性本体１０を挟んでおり、かつ、背側帯部材３０と吸収性本体１０の隙間には、パッドＰの一端部Ｐａを挿入する一端挿入部８０が形成され、腹側帯部材２０が吸収性本体１０の内側に、別体腹側帯部材４５が吸収性本体１０の外側に、それぞれ位置した状態で、該腹側帯部材２０と該別体腹側帯部材４５とが吸収性本体１０を挟んでおり、かつ、腹側帯部材２０と吸収性本体１０の隙間には、パッドＰの他端部Ｐｂを挿入する他端挿入部８２が形成されていることとした（別体帯部材外側ケース）。
【００９９】
しかしながら、これに限定されるものではなく、図９に示すように、別体背側帯部材４０が吸収性本体１０の内側に、背側帯部材３０が吸収性本体１０の外側に、それぞれ位置した状態で、該背側帯部材３０と該別体背側帯部材４０とが吸収性本体１０を挟んでおりかつ、別体背側帯部材４０と吸収性本体１０の隙間には、パッドＰの一端部Ｐａを挿入する一端挿入部８０が形成され、別体腹側帯部材４５が吸収性本体１０の内側に、腹側帯部材２０が吸収性本体１０の外側に、それぞれ位置した状態で、該腹側帯部材２０と該別体腹側帯部材４５とが吸収性本体１０を挟んでおり、かつ、別体腹側帯部材４５と吸収性本体１０の隙間には、パッドＰの他端部Ｐｂを挿入する他端挿入部８２が形成されていることとしてもよい（別体帯部材内側ケース）。
【０１００】
また、図１０及び図１１に示すように、別体背側帯部材４０が吸収性本体１０の内側に背側帯部材３０が吸収性本体１０の外側にそれぞれ位置し、腹側帯部材２０が吸収性本体１０の内側に別体腹側帯部材４５が吸収性本体１０の外側にそれぞれ位置する場合でも、背側帯部材３０が吸収性本体１０の内側に別体背側帯部材４０が吸収性本体１０の外側にそれぞれ位置し、別体腹側帯部材４５が吸収性本体１０の内側に腹側帯部材２０が吸収性本体１０の外側にそれぞれ位置する場合であってもよい。
【符号の説明】
【０１０１】
１  おむつ、１ａ  胴周り開口、１ｂ  脚周り開口
１０  吸収性本体、１０ａ  一端部、１０ｂ  他端部
１１  吸収体、１２  吸収体上シート部材、１３  吸収体下シート部材
１４  トップシート部材
１５  バックシート部材、１５ａ  防漏シート、１５ｂ  外装シート
１６  サイドフラップ、１７  吸収性本体糸ゴム
２０  腹側帯部材、２０ａ  両縁部
２１  不織布、２２  イラストシート、２３  腹側帯糸ゴム
３０  背側帯部材、３０ａ  両縁部
３１  不織布、３２  イラストシート、３３  背側帯糸ゴム
４０  別体背側帯部材、４０ａ  中央部、４０ｂ  端部
４０ｃ  近端部、４０ｄ  遠端部
４１  不織布、４２  両縁部
４３  別体背側帯糸ゴム、４３ａ  近端糸ゴム、４３ｂ  遠端糸ゴム
４５  別体腹側帯部材、４５ａ  中央部、４５ｂ  端部
４６  不織布、４７  両縁部、４８  別体腹側帯糸ゴム
５０  カバー部材
６４  重なり部分、６４ａ  両端部、６４ｂ  遠端部
６４ｃ  近端部、６４ｄ  中央部
６６  重なり部分、６６ａ  両端部、６６ｂ  遠端部
６６ｃ  近端部、６６ｄ  中央部
７０  重なり部分、７２  重なり部分、７４  重なり部分、７６  重なり部分
８０  一端挿入部、８２  他端挿入部
Ａ１  第一重なり領域、Ａ２  第二重なり領域、Ａ３  第三重なり領域
Ａ４  第四重なり領域、Ａ５  第五重なり領域、Ａ６  第六重なり領域
Ｃ１  交差点、Ｃ２  交差点
ＬＧ  レッグギャザー
Ｐ  パッド、Ｐａ  一端部、Ｐｂ  他端部
【図１】
0006406991.tif 000002
【図２】
0006406991.tif 000003
【図３】
0006406991.tif 000004
【図４】
0006406991.tif 000005
【図５】
0006406991.tif 000006
【図６】
0006406991.tif 000007
【図７】
0006406991.tif 000008
【図８】
0006406991.tif 000009
【図９】
0006406991.tif 000010
【図１０】
0006406991.tif 000011
【図１１】
0006406991.tif 000012